【手続補正書】
【提出日】平成17年6月3日(2005.6.3)
【手続補正１】
【補正対象書類名】明細書
【補正対象項目名】特許請求の範囲
【補正方法】変更
【補正の内容】
【特許請求の範囲】
【請求項１】
被制御機器を自動的に制御する自動制御装置であって、
ユーザーのスケジュールを示すユーザースケジュールデータを記憶する第１記憶手段と、
制御スキーマデータを記憶する第２記憶手段と、
前記第１記憶手段に記憶されたユーザースケジュールデータと、前記第２記憶手段に記憶された制御スキーマデータとから、制御スケジュールを生成し、生成された制御スケジュールに基づいて、前記被制御機器を動作させるための制御指示を出す制御スケジュール生成手段と、
前記制御スケジュール生成手段による制御指示に基づいて、前記被制御機器を制御する制御手段と、
を備えることを特徴とする自動制御装置。
【請求項２】
外部のセンサー及び／或いは被制御機器の状態を確認する状態確認手段を備え、
前記制御スケジュール生成手段は、前記状態確認手段による確認結果に基づいて、前記制御スケジュールを生成する、
ことを特徴とする請求項１に記載の自動制御装置。
【請求項３】
予め登録された外部の端末に記憶されたユーザースケジュールデータを取得し同期するユーザースケジュール同期手段を備える、
ことを特徴とする請求項１または請求項２に記載の自動制御装置。
【請求項４】
被制御機器の状態に関してのユーザー嗜好を示すプリファレンスデーターを記憶する第３記憶手段を備え、
前記制御スケジュール生成手段は、前記第３記憶手段に記憶されたプリファレンスデーターに基づいて、前記制御スケジュールを生成する、
ことを特徴とする請求項１〜請求項３の何れかに記載の自動制御装置。
【請求項５】
前記制御手段によって実行された制御に基づいて、この制御の履歴である制御履歴を記憶する履歴記憶手段と、
前記履歴記憶手段に記憶された制御履歴に基づいて、前記第２記憶手段に記憶された制御スキーマデータ、及び前記第３記憶手段に記憶されたプリファレンスデーターの少なくとも１つを変更するデーター更新手段と、
を備えることを特徴とする請求項４に記載の自動制御装置。
【請求項６】
前記第３記憶手段に記憶されたプリファレンスデーター、及び前記第１記憶手段に記憶されたユーザースケジュールデータの少なくとも１つの中から、キーワードを切り出して、キーワードに合致するサービスを自動的に検索するサービス検索手段を備える、
を備えることを特徴とする請求項４に記載の自動制御装置。
【請求項７】
前記制御スケジュール生成手段は、前記サービス検索手段による検索結果に基づいて、前記制御スケジュールを生成する、
ことを特徴とする請求項６に記載の自動制御装置。
【請求項８】
予め登録された携帯端末に対し、制御スケジュールに基づく報告を行う外部端末報告手段を備える、
ことを特徴とする請求項１〜請求項７の何れかに記載の自動制御装置。
【請求項９】
前記携帯端末からの実行許可を受信する第１受信手段を備え、
前記制御スケジュール生成手段は、前記第１受信手段が前記実行許可を受信すると、当該制御スケジュール生成手段により生成された制御スケジュールに基づいて、前記制御指示を出す、
ことを特徴とする請求項８に記載の自動制御装置。
【請求項１０】
前記携帯端末からの修正指示を受信する第２受信手段を備え、
前記制御スケジュール生成手段は、前記第２受信手段が前記修正指示を受信すると、この修正指示に基づいて、制御スケジュールを生成する、
ことを特徴とする請求項８または請求項９に記載の自動制御装置。
【請求項１１】
前記制御手段は、前記被制御機器の電源管理を行うことを特徴とする請求項１〜請求項１０の何れかに記載の自動制御装置。
【請求項１２】
請求項１〜請求項１１の何れかに記載の自動制御装置が備える各手段の機能を有するロボット。
【請求項１３】
請求項１〜請求項１１の何れかに記載の自動制御装置が収められたことを特徴とするフィギア。
【請求項１４】
被制御機器を自動的に制御するための自動制御方法であって、
ユーザーのスケジュールを示すユーザースケジュールデータと、制御スキーマデータとから、制御スケジュールを生成する制御スケジュール生成ステップと、
前記制御スケジュール生成ステップにより生成された制御スケジュールに基づいて、前記被制御機器を動作させるための制御指示を出す指示ステップと、
前記指示ステップにより出された制御指示に基づいて、前記被制御機器を制御する制御ステップと、
を有することを特徴とする自動制御方法。
【請求項１５】
外部のセンサー及び／或いは被制御機器の状態を確認する状態確認ステップを有し、
前記制御スケジュール生成ステップは、前記状態確認ステップによる確認結果に基づいて、前記制御スケジュールを生成する、
ことを特徴とする請求項１４に記載の自動制御方法。
【請求項１６】
予め登録された外部の端末に記憶されたユーザースケジュールデータを取得し同期するユーザースケジュール同期ステップを有する、
ことを特徴とする請求項１４または請求項１５に記載の自動制御方法。
【請求項１７】
前記制御スケジュール生成ステップは、被制御機器の状態に関してのユーザー嗜好を示すプリファレンスデーターに基づいて、前記制御スケジュールを生成する、
ことを特徴とする請求項１４〜請求項１６の何れかに記載の自動制御方法。
【請求項１８】
前記制御ステップによって実行された制御に基づいて、この制御の履歴である制御履歴を記憶する履歴記憶ステップと、
前記履歴記憶ステップに記憶された制御履歴に基づいて、前記制御スキーマデータ、及び前記プリファレンスデーターの少なくとも１つを変更するデーター更新ステップと、
を有することを特徴とする請求項１７に記載の自動制御方法。
【請求項１９】
前記プリファレンスデーター及び前記ユーザースケジュールデータの少なくとも１つの中から、キーワードを切り出して、キーワードに合致するサービスを自動的に検索するサービス検索ステップを有する、
を備えることを特徴とする請求項１７に記載の自動制御方法。
【請求項２０】
前記制御スケジュール生成ステップは、前記サービス検索ステップによる検索結果に基づいて、前記制御スケジュールを生成する、
ことを特徴とする請求項１９に記載の自動制御方法。
【請求項２１】
予め登録された携帯端末に対し、制御スケジュールに基づく報告を行う外部端末報告ステップを有する、
ことを特徴とする請求項１４〜請求項２０の何れかに記載の自動制御方法。
【請求項２２】
前記携帯端末からの実行許可を受信する第１受信ステップを有し、
前記指示ステップは、前記第１受信ステップにより前記実行許可を受信すると、前記制御スケジュール生成ステップにより生成された制御スケジュールに基づいて、前記制御指示を出す、
ことを特徴とする請求項２１に記載の自動制御方法。
【請求項２３】
前記携帯端末からの修正指示を受信する第２受信ステップを有し、
前記制御スケジュール生成ステップは、前記第２受信ステップにより前記修正指示を受信すると、この修正指示に基づいて、制御スケジュールを生成する、
ことを特徴とする請求項２１または請求項２２に記載の自動制御方法。
【請求項２４】
請求項１〜請求項１３の何れかに記載の自動制御装置が家庭内に設置されることを特徴とする自動制御システム。
【請求項２５】
前記自動制御装置と通信可能な携帯端末を備え、
前記携帯端末の画面に擬人化されたキャラクターなどがユーザーインターフェイスとして表示される、
ことを特徴とする請求項２４に記載の自動制御システム。
【請求項２６】
自動制御のための各手段が複数の装置に分散して存在し、協調して動作する、
ことを特徴とする請求項２４または請求項２５に記載の自動制御システム。
【請求項２７】
請求項８〜請求項１０の何れかに記載の自動制御装置から制御スケジュールに基づく報告を受けることを特徴とする携帯端末。
【請求項２８】
当該携帯端末の画面に擬人化されたキャラクターなどがユーザーインターフェイスとして表示される、
ことを特徴とする請求項２７に記載の携帯端末。
【手続補正２】
【補正対象書類名】明細書
【補正対象項目名】００２２
【補正方法】変更
【補正の内容】
【００２２】
本発明は以上の様な課題を解決するために、簡便で安全で利便性の高い自動制御の装置及び方法を提供する。具体的には利用者が煩雑な操作や高度な学習を強いられることなく、利用者の行動や嗜好に即して家庭内の制御や利用者に適したサービス提供を受ける準備を自動的に行う装置及び方法、さらにはそれらの準備完了を利用者に通知し、利用者の確認を経た上でサービス実行を行う装置及び方法を提供する。
【手続補正３】
【補正対象書類名】明細書
【補正対象項目名】００２４
【補正方法】変更
【補正の内容】
【００２４】
上記課題を解決するためになされた第１発明は、被制御機器を自動的に制御する自動制御装置であって、ユーザーのスケジュールを示すユーザースケジュールデータを記憶する第１記憶手段と、制御スキーマデータを記憶する第２記憶手段と、第１記憶手段に記憶されたユーザースケジュールデータと、第２記憶手段に記憶された制御スキーマデータとから、制御スケジュールを生成し、生成された制御スケジュールに基づいて、被制御機器を動作させるための制御指示を出す制御スケジュール生成手段と、制御スケジュール生成手段による制御指示に基づいて、被制御機器を制御する制御手段とを備えることを特徴とする。
【手続補正４】
【補正対象書類名】明細書
【補正対象項目名】００２５
【補正方法】変更
【補正の内容】
【００２５】
また第１発明では、外部のセンサー及び／或いは被制御機器の状態を確認する状態確認手段を備え、制御スケジュール生成手段は、状態確認手段による確認結果に基づいて、制御スケジュールを生成するようにするとよい。
【手続補正５】
【補正対象書類名】明細書
【補正対象項目名】００２６
【補正方法】変更
【補正の内容】
【００２６】
また第１発明では、予め登録された外部の端末に記憶されたユーザースケジュールデータを取得し同期するユーザースケジュール同期手段を備えるようにするとよい。
【手続補正６】
【補正対象書類名】明細書
【補正対象項目名】００２７
【補正方法】変更
【補正の内容】
【００２７】
また第１発明では、被制御機器の状態に関してのユーザー嗜好を示すプリファレンスデーターを記憶する第３記憶手段を備え、制御スケジュール生成手段は、第３記憶手段に記憶されたプリファレンスデーターに基づいて、制御スケジュールを生成するようにするとよい。
【手続補正７】
【補正対象書類名】明細書
【補正対象項目名】００２８
【補正方法】変更
【補正の内容】
【００２８】
また第１発明では、制御手段によって実行された制御に基づいて、この制御の履歴である制御履歴を記憶する履歴記憶手段と、履歴記憶手段に記憶された制御履歴に基づいて、第２記憶手段に記憶された制御スキーマデータ、及び第３記憶手段に記憶されたプリファレンスデーターの少なくとも１つを変更するデーター更新手段とを備えるようにするとよい。
【手続補正８】
【補正対象書類名】明細書
【補正対象項目名】００２９
【補正方法】変更
【補正の内容】
【００２９】
また第１発明では、第３記憶手段に記憶されたプリファレンスデーター、及び第１記憶手段に記憶されたユーザースケジュールデータの少なくとも１つの中から、キーワードを切り出して、キーワードに合致するサービスを自動的に検索するサービス検索手段を備えるようにするとよい。
【手続補正９】
【補正対象書類名】明細書
【補正対象項目名】００３０
【補正方法】変更
【補正の内容】
【００３０】
また第１発明では、制御スケジュール生成手段は、サービス検索手段による検索結果に基づいて、制御スケジュールを生成するようにするとよい。
【手続補正１０】
【補正対象書類名】明細書
【補正対象項目名】００３１
【補正方法】変更
【補正の内容】
【００３１】
また第１発明では、予め登録された携帯端末に対し、制御スケジュールに基づく報告を行う外部端末報告手段を備えるようにするとよい。
【手続補正１１】
【補正対象書類名】明細書
【補正対象項目名】００３２
【補正方法】変更
【補正の内容】
【００３２】
また第１発明では、携帯端末からの実行許可を受信する第１受信手段を備え、制御スケジュール生成手段は、第１受信手段が実行許可を受信すると、当該制御スケジュール生成手段により生成された制御スケジュールに基づいて、制御指示を出すようにするとよい。
【手続補正１２】
【補正対象書類名】明細書
【補正対象項目名】００３３
【補正方法】変更
【補正の内容】
【００３３】
また第１発明では、携帯端末からの修正指示を受信する第２受信手段を備え、制御スケジュール生成手段は、第２受信手段が修正指示を受信すると、この修正指示に基づいて、制御スケジュールを生成するようにするとよい。
【手続補正１３】
【補正対象書類名】明細書
【補正対象項目名】００３４
【補正方法】変更
【補正の内容】
【００３４】
また第１発明では、制御手段は、被制御機器の電源管理を行うようにするとよい。
【手続補正１４】
【補正対象書類名】明細書
【補正対象項目名】００３５
【補正方法】変更
【補正の内容】
【００３５】
また第２発明は、第１発明に記載の自動制御装置が備える各手段の機能を有することを特徴とするロボットである。
【手続補正１５】
【補正対象書類名】明細書
【補正対象項目名】００３６
【補正方法】変更
【補正の内容】
【００３６】
また第３発明は、第１発明に記載の自動制御装置が収められたことを特徴とするフィギアである。
【手続補正１６】
【補正対象書類名】明細書
【補正対象項目名】００３７
【補正方法】変更
【補正の内容】
【００３７】
また第４発明は、被制御機器を自動的に制御するための自動制御方法であって、ユーザーのスケジュールを示すユーザースケジュールデータと、制御スキーマデータとから、制御スケジュールを生成する制御スケジュール生成ステップと、制御スケジュール生成ステップにより生成された制御スケジュールに基づいて、被制御機器を動作させるための制御指示を出す指示ステップと、指示ステップにより出された制御指示に基づいて、被制御機器を制御する制御ステップと、を有することを特徴とする。
【手続補正１７】
【補正対象書類名】明細書
【補正対象項目名】００３８
【補正方法】変更
【補正の内容】
【００３８】
また第４発明では、外部のセンサー及び／或いは被制御機器の状態を確認する状態確認ステップを有し、制御スケジュール生成ステップは、状態確認ステップによる確認結果に基づいて、制御スケジュールを生成するようにするとよい。
【手続補正１８】
【補正対象書類名】明細書
【補正対象項目名】００３９
【補正方法】変更
【補正の内容】
【００３９】
また第４発明では、予め登録された外部の端末に記憶されたユーザースケジュールデータを取得し同期するユーザースケジュール同期ステップを有するようにするとよい。
【手続補正１９】
【補正対象書類名】明細書
【補正対象項目名】００４０
【補正方法】変更
【補正の内容】
【００４０】
また第４発明では、制御スケジュール生成ステップは、被制御機器の状態に関してのユーザー嗜好を示すプリファレンスデーターに基づいて、制御スケジュールを生成するようにするとよい。
【手続補正２０】
【補正対象書類名】明細書
【補正対象項目名】００４１
【補正方法】変更
【補正の内容】
【００４１】
また第４発明では、前記制御ステップによって実行された制御に基づいて、この制御の履歴である制御履歴を記憶する履歴記憶ステップと、前記履歴記憶ステップに記憶された制御履歴に基づいて、前記制御スキーマデータ、及び前記プリファレンスデーターの少なくとも１つを変更するデーター更新ステップとを有するようにするとよい。
【手続補正２１】
【補正対象書類名】明細書
【補正対象項目名】００４２
【補正方法】変更
【補正の内容】
【００４２】
また第４発明では、プリファレンスデーター及びユーザースケジュールデータの少なくとも１つの中から、キーワードを切り出して、キーワードに合致するサービスを自動的に検索するサービス検索ステップを有するようにするとよい。
【手続補正２２】
【補正対象書類名】明細書
【補正対象項目名】００４３
【補正方法】変更
【補正の内容】
【００４３】
また第４発明では、制御スケジュール生成ステップは、サービス検索ステップによる検索結果に基づいて、制御スケジュールを生成するようにするとよい。
【手続補正２３】
【補正対象書類名】明細書
【補正対象項目名】００４４
【補正方法】変更
【補正の内容】
【００４４】
また第４発明では、予め登録された携帯端末に対し、制御スケジュールに基づく報告を行う外部端末報告ステップを有するようにするとよい。
【手続補正２４】
【補正対象書類名】明細書
【補正対象項目名】００４５
【補正方法】変更
【補正の内容】
【００４５】
また第４発明では、携帯端末からの実行許可を受信する第１受信ステップを有し、指示ステップは、第１受信ステップにより実行許可を受信すると、制御スケジュール生成ステップにより生成された制御スケジュールに基づいて、制御指示を出すようにするとよい。
【手続補正２５】
【補正対象書類名】明細書
【補正対象項目名】００４６
【補正方法】変更
【補正の内容】
【００４６】
また第４発明では、携帯端末からの修正指示を受信する第２受信ステップを有し、制御スケジュール生成ステップは、第２受信ステップにより修正指示を受信すると、この修正指示に基づいて、制御スケジュールを生成するようにするとよい。
【手続補正２６】
【補正対象書類名】明細書
【補正対象項目名】００４７
【補正方法】変更
【補正の内容】
【００４７】
また第５発明は、第１発明に記載の自動制御装置が家庭内に設置されることを特徴とする自動制御システムである。
【手続補正２７】
【補正対象書類名】明細書
【補正対象項目名】００４８
【補正方法】変更
【補正の内容】
【００４８】
また第５発明では、自動制御装置と通信可能な携帯端末を備え、携帯端末の画面に擬人化されたキャラクターなどがユーザーインターフェイスとして表示されるようにするとよい。
【手続補正２８】
【補正対象書類名】明細書
【補正対象項目名】００４９
【補正方法】変更
【補正の内容】
【００４９】
また第５発明では、自動制御のための各手段が複数の装置に分散して存在し、協調して動作するようにするとよい。
【手続補正２９】
【補正対象書類名】明細書
【補正対象項目名】００５０
【補正方法】変更
【補正の内容】
【００５０】
また第６発明は、自動制御装置から制御スケジュールに基づく報告を受けることを特徴とする携帯端末である。
【手続補正３０】
【補正対象書類名】明細書
【補正対象項目名】００５１
【補正方法】変更
【補正の内容】
【００５１】
また第６発明では、当該携帯端末の画面に擬人化されたキャラクターなどがユーザーインターフェイスとして表示されるようにするとよい。
【手続補正３１】
【補正対象書類名】明細書
【補正対象項目名】００５２
【補正方法】変更
【補正の内容】
【００５２】
【発明の実施の形態】
以下に、本発明の実施の形態の一例として、（１）自動制御装置がホームゲートウェイなどの形で独立して家庭内などに存在し、ユーザーのスケジュールやプリファレンスに応じて自動的に機器を制御する方法及びシステム。（２）自動制御装置がホームゲートウェイなどの形で独立して家庭内などに存在し、ユーザーのスケジュールやプロファイルやプリファレンスに応じて自動的にサービスを検索し実行する方法及びシステム。
【手続補正３２】
【補正対象書類名】明細書
【補正対象項目名】００５３
【補正方法】変更
【補正の内容】
【００５３】
（３）自動制御方法の各手段或いはデーターが特に独立したホームゲートウェイなどの自動制御装置に集中することなく、ネットワーク上及び／或いは携帯端末と情報家電に分散して存在し、ユーザーのスケジュールやプリファレンスに応じて自動的に機器を制御する方法及びシステムについてそれぞれ説明する。
【手続補正３３】
【補正対象書類名】明細書
【補正対象項目名】００６０
【補正方法】変更
【補正の内容】
【００６０】
制御機器及びセンサーと制御装置３とは、ローカルネットワークであるホームネットワークＬ１、Ｌ２、・・・・Ｌｎで接続されている。Ｌ１、Ｌ２、・・・・Ｌｎは、赤外線、無線ＬＡＮ、Ｂｌｕｅｔｏｏｔｈ、エコーネット、ＩＥＥＥ１３９４などによって実装することが可能である。３２はＩＣカードやＳＩＭカード、メモリーカードなどのブリッジメディアである。
【手続補正３４】
【補正対象書類名】明細書
【補正対象項目名】０１４１
【補正方法】変更
【補正の内容】
【０１４１】
＜サービスの検索＞次に（２）ホームゲートウェイが独立して家庭内に存在し、ユーザーのスケジュールやプロファイルやプリファレンスに応じて自動的にサービスを検索し実行する方法及びシステムを説明する。
【手続補正３５】
【補正対象書類名】明細書
【補正対象項目名】符号の説明
【補正方法】変更
【補正の内容】
【符号の説明】
３００はインターネットなどの外部ネットワーク。
Ｗ１、Ｗ２、・・・・Ｗｎは外部ネットワークに存在するＷｅｂサーバーやデーターベース。
Ｍ１、Ｍ２はユーザーが所持する携帯電話などの端末。
２は家庭などであり、家電などの被制御機器が設置されユーザーにサービスを提供する場所である。
１００は家庭などに設置された自動制御装置。
４は外部ネットワークと自動制御装置をつなぐアクセス回線であり、ＩＳＤＮやＡＤＳＬ、光ファイバーなどの電話回線やデーター交換網および無線などによって提供される。
Ａ１、Ａ２、Ａ３、Ａ４は、様々な被制御機器であり、例えばエアコンやビデオ録画装置などの家電や情報家電或いは浴槽給湯装置などの設備機器である。
Ｓ１，Ｓ２・・・Ｓｎは各種センサーであり、家庭など被制御機器が設置されユーザーにサービスを提供する場所２の、室温や湿度浴槽の湯の存在や湯温などの様々な状態をモニターする装置である。
Ｌ１、Ｌ２、・・・・Ｌｎは、ローカルネットワークの通信インターフェイスであり、赤外線、無線ＬＡＮ、Ｂｌｕｅｔｏｏｔｈ、エコーネット、ＩＥＥＥ１３９４などによって実装することが可能である。
６０内部バス。
６１処理手段（ＣＰＵ）。
６３タイマー。
６４記憶手段。
６８通信インターフェイス。
６９Ｉ／Ｏ装置。
１表示手段
３１０インターネット接続手段音声通話装置などの通信手段３。
３１１入力手段３１１。
３２はＩＣカードやＳＩＭカードなどのブリッジメディアである。
９１携帯端末の表示装置。
９２携帯端末の操作装置。
９３携帯端末の被制御装置の制御手段。
９４携帯端末の処理装置。
９５携帯端末のＩ／Ｏ装置。
９２携帯端末の記憶手段。
９８携帯端末の通信インターフェイス
９９携帯端末の音声入力装置。
９００携帯端末のバスライン或いはＢｌｕｅｔｏｏｔｈなどの近距離無線通信
９４１携帯端末のスピーカー
【手続補正３６】
【補正対象書類名】図面
【補正対象項目名】図２
【補正方法】変更
【補正の内容】
【図２】
2004007297.tif 000001